(57)【要約】【課題】所定階の乗場での行先階登録を有効とするとともに、当該所定階に停止している乗りかごでの行先登録操作を無効としてエレベータの群管理制御を行う際に、当該所定階の乗りかご内で行先階登録操作を行う利用者に当該操作が無効であることを報知して利用者の利便性を向上させるエレベータ制御装置を提供する。【解決手段】実施形態によればエレベータ制御装置は、所定の基準階の乗場行先階登録装置による行先階登録を有効とするとともに、前記基準階に停止している乗りかご内の行先階登録装置による行先登録操作を無効として処理を行う群管理制御装置に接続される。エレベータ制御装置は、群管理制御装置により自エレベータのかご内行先登録装置による行先登録操作が無効とされているときに当該かご内行先登録装置が操作されたことを検知すると、当該操作が無効であることを利用者に報知するための報知情報を当該乗りかご内の出力装置から出力する。【選択図】図１
2014111491.tif 000002
【特許請求の範囲】
【請求項１】
所定の基準階のエレベータ乗場に設置された乗場行先階登録装置による行先階登録を有効とするとともに、前記基準階に停止している乗りかごに設置されたかご内行先階登録装置による行先登録操作を無効として複数のエレベータの群管理制御を行うエレベータ群管理制御装置に接続され、前記複数のエレベータにそれぞれ設置されたエレベータ制御装置において、
前記エレベータ群管理制御装置により、自エレベータのかご内行先登録装置による行先登録操作が無効とされているときに、当該かご内行先登録装置が操作されたことを検知すると、当該操作が無効であることを利用者に報知するための報知情報を自エレベータの乗りかご内の出力装置から出力する情報出力部
を備えることを特徴とするエレベータ制御装置。
【請求項２】
前記報知情報は、音声アナウンス情報、映像情報、またはテキスト情報である
ことを特徴とする請求項１に記載のエレベータ制御装置。
【請求項３】
前記音声アナウンス情報、映像情報、およびテキスト情報では、前記乗場行先階登録装置にて行先階の登録操作を行うよう促す情報を含む
ことを特徴とする請求項２に記載のエレベータ制御装置。
【請求項４】
自エレベータの乗りかごを振動させる機構をさらに有し、
前記情報出力部は、報知情報を出力する際に、併せて当該乗りかごを振動させる
ことを特徴とする請求項１〜３いずれか１項に記載のエレベータ制御装置。
【発明の詳細な説明】
【技術分野】
【０００１】
本発明の実施形態は、エレベータ制御装置に関する。
【背景技術】
【０００２】
従来、一般的なエレベータシステムでは、利用者がエレベータ乗場で乗場呼び登録ボタンを操作すると乗りかごが当該操作階に移動し、到着した乗りかごに利用者が乗り込んで乗りかご内の行先階登録ボタンを操作すると乗りかごが該当する行先階に移動するように制御している。
【０００３】
これに対し、複数のエレベータを群管理するエレベータシステムには、利用者がエレベータ乗場で直接利用階を登録する乗場行先階登録ボタンを有するものがある。エレベータ乗場での行先階登録操作を可能にすることにより、複数のエレベータ乗りかごの運転状況を考慮して最適な乗りかごを当該利用者に割り当てることができ、効率の良い群管理制御を行うことができる。
【０００４】
群管理制御を行うエレベータシステムの中には、利用者の多い建物入り口階等の所定の基準階でのみ乗場行先階登録操作を有効とし、他階では通常どおり乗りかご内の行先階登録ボタンで行先階の登録操作を有効とするシステム（いわゆる「ハイブリッドタイプ」のエレベータシステム）がある。
【０００５】
このようにシステムを構築することにより、すべての階に乗場行先階登録ボタンを設置することなく、簡易な構成で効率の良い群管理制御を行うことができる。
【先行技術文献】
【特許文献】
【０００６】
【特許文献１】特開２０１１−４６４９５号公報
【発明の概要】
【発明が解決しようとする課題】
【０００７】
上述したハイブリッドタイプのエレベータシステムでは、乗りかご内に、基準階以外の階床で行先階登録操作に利用するためのかご内行先階登録ボタンが設置されている。
【０００８】
しかし、基準階においては乗場行先階登録ボタンでのみ行先階登録操作が有効であるため、かご内行先階登録ボタンによる操作は無効であり、通常のエレベータと同様にかご内行先階登録ボタンで行先階を登録しようとして乗りかごに乗り込んだ利用者が行先階登録操作を行うことができず、不都合となることがあるという問題があった。
【０００９】
本発明は上記事情に鑑みてなされたものであり、所定階のエレベータ乗場での行先階登録を有効とするとともに、当該所定階に停止している乗りかごでの行先登録操作を無効としてエレベータの群管理制御を行う際に、当該所定階の乗りかご内で行先階登録操作を行う利用者に当該操作が無効であることを報知して利用者の利便性を向上させるエレベータ制御装置を提供することを目的とする。
【課題を解決するための手段】
【００１０】
上記目的を達成するための実施形態によればエレベータ制御装置は、所定の基準階の乗場行先階登録装置による行先階登録を有効とするとともに、前記基準階に停止している乗りかご内の行先階登録装置による行先登録操作を無効として処理を行う群管理制御装置に接続される。エレベータ制御装置は、群管理制御装置により自エレベータのかご内行先登録装置による行先登録操作が無効とされているときに当該かご内行先登録装置が操作されたことを検知すると、当該操作が無効であることを利用者に報知するための報知情報を当該乗りかご内の出力装置から出力する。
【図面の簡単な説明】
【００１１】
【図１】一実施形態によるエレベータ理制御装置を利用したエレベータシステムの構成を示すブロック図。
【図２】一実施形態によるエレベータ制御装置を有するエレベータが設置された基準階のエレベータ乗場の構成を示す外観図。
【図３】一実施形態によるエレベータ制御装置を制御するエレベータ群管理制御装置に接続された乗場行先階登録装置の一形態を示す外観図。
【図４】一実施形態によるエレベータ制御装置を利用したエレベータシステムの動作を示すフローチャート。
【発明を実施するための形態】
【００１２】
本発明の一実施形態として、管理対象の建物が１階〜１０階の階床を有し、当該建物内に第１エレベータ〜第３エレベータの３台のエレベータが設置され、エレベータ群管理制御装置がこれらの第１エレベータ〜第３エレベータの運転を群管理制御する場合について説明する。
【００１３】
本実施形態において、「１階」が建物入り口に通じる「基準階」として設定されているものとする。
【００１４】
〈一実施形態によるエレベータ群管理制御装置を利用したエレベータシステムの構成〉
本発明の一実施形態によるエレベータ群管理制御装置を利用したエレベータシステムの構成について、図１を参照して説明する。
【００１５】
本実施形態によるエレベータシステム１は、基準階（１階）のエレベータ乗場に設置された乗場行先階登録装置による行先登録操作を有効とするとともに、当該基準階に停止している乗りかごに設置されたかご内行先登録装置による行先登録操作を無効とし、基準階以外の階（２階〜１０階）の乗りかごに設置されたかご内行先登録装置による行先登録操作を有効とする群管理制御、いわゆるハイブリッドタイプの制御を行うシステムである。
【００１６】
当該エレベータシステム１は、管理対象の建物内に設置された第１エレベータ１０−１、第２エレベータ１０−２、および第３エレベータ１０−３と、基準階以外の２階〜１０階のエレベータ乗場にそれぞれ設置された乗場呼び登録装置２０−１〜２０−９と、基準階のエレベータ乗場に設置された乗場行先階登録装置３０および第１乗場行先階表示装置４０−１〜第３乗場行先階表示装置４０−３と、第１エレベータ１０−１〜第３エレベータ１０−３の運転を群管理制御するエレベータ群管理制御装置５０とを備える。
【００１７】
第１エレベータ１０−１、第２エレベータ１０−２、および第３エレベータ１０−３はそれぞれ、運転制御装置１１−１〜１１−３と、かご内行先階登録装置１２−１〜１２−３と、かご内表示装置１３−１〜１３−３と、スピーカ１４−１〜１４−３とを有する。
【００１８】
運転制御装置１１−１〜１１−３は、エレベータ群管理制御装置５０からの指示に基づいてそれぞれのエレベータ１０−１〜１０−３のかご内行先階登録装置１２−１〜１２−３の設定や、乗りかご（図示せず）の昇降、かご扉（図示せず）の開閉、等の運転動作を制御する。また、エレベータ群管理制御装置５０からの指示に基づいて自エレベータのかご内行先登録装置１２−１〜１２−３の操作を無効に設定した後に当該かご内行先登録装置１２−１〜１２−３が操作されたことを検知したときには、当該操作が無効であることを報知する情報を自エレベータのかご内表示装置１３−１〜１３−３やスピーカ１４−１〜１４−３から出力させる。
【００１９】
かご内行先階登録装置１２−１〜１２−３は、各エレベータ１０−１〜１０−３の乗りかご内に設置され、利用者により指定された行先階まで乗りかごを移動させるための行先階登録情報（以下、「かご内行先階登録情報」とする）を登録する。
【００２０】
かご内表示装置１３−１〜１３−３は、それぞれのエレベータ１０−１〜１０−３の乗りかご内に設置されたモニタで構成され、該当する運転制御装置１１−１〜１１−３から送信される報知情報を映像やテキスト表示により出力する。
【００２１】
スピーカ１４−１〜１４−３は、それぞれのエレベータ１０−１〜１０−３の乗りかご内に設置され、該当する運転制御装置１１−１〜１１−３から送信される報知情報を警報ブザー音や音声アナウンス情報により出力する。
【００２２】
乗場呼び登録装置２０−１〜２０−９は、基準階以外の階床である２階〜１０階のエレベータ乗場にそれぞれ設置され、エレベータの利用者により上方向または下方向を指定したかご呼び操作が行われると、当該階を出発階としてエレベータを運転させるための乗場呼び登録情報（以下、「通常階乗場呼び登録情報」とする）を登録する。
【００２３】
乗場行先階登録装置３０は、基準階である１階のエレベータ乗場に設置され、エレベータ利用者により行先階を指定する操作が行われると、１階を出発階とし、指定された行先階までエレベータを運転させるための乗場呼び登録情報（以下、「基準階乗場登録情報」とする）を登録する。
【００２４】
第１乗場行先階表示装置４０−１〜第３乗場行先階表示装置４０−３は、基準階である１階のエレベータ乗場に設置され、エレベータ群管理制御装置５０から送信される行先階情報を表示する。ここで、第１乗場行先階表示装置４０−１は第１エレベータ１０−１に対応して設置され、第２乗場行先階表示装置４０−２は第２エレベータ１０−２に対応して設置され、第３乗場行先階表示装置４０−３は第３エレベータ１０−３に対応して設置されている。
【００２５】
図２は基準階である１階のエレベータ乗場を示す一例であり、当該エレベータ乗場には乗場行先階登録装置３０と、第１エレベータ１０−１の乗場扉１５−１（図２の「Ａ」）と、第１エレベータ１０−１に対応した第１乗場行先階表示装置４０−１と、第２エレベータ１０−２（図２の「Ｂ」）の乗場扉１５−２と、第２エレベータ１０−２に対応した第２乗場行先階表示装置４０−２と、第３エレベータ１０−３（図２の「Ｃ」）の乗場扉１５−３と、第３エレベータ１０−３に対応した第３乗場行先階表示装置４０−３とが設置されている。
【００２６】
図３（ａ）は乗場行先階登録装置３０の一形態であるボタン式登録装置３０ａであり、行先階を入力するためのボタン群３１および操作内容および割当情報を表示する表示部３２を有している。また図３（ｂ）は乗場行先階登録装置３０の他の形態であるタッチパネル式登録装置３０ｂであり、行先階の入力、操作内容の表示、および割当情報の表示を行うタッチパネル３３を有している。
【００２７】
エレベータ群管理制御装置５０は、運転情報取得部５１と、登録情報取得部５２と、割当情報生成部５３と、乗場行先階情報送信部５４と、制御情報送信部５５とを有する。
【００２８】
運転情報取得部５１は、第１エレベータ１０−１〜第３エレベータ１０−３から、各エレベータの乗りかごの位置情報を含む運転情報を所定時間間隔で取得する。
【００２９】
登録情報取得部５２は、乗りかごが基準階に停止している以外のときに、当該エレベータのかご内行先階登録装置１２−１〜１２−３に登録されたかご内行先階登録情報を取得する。また、基準階以外の２階〜１０階の乗場呼び登録装置２０−１〜２０−９に登録された通常階乗場呼び登録情報を取得する。また、基準階である１階の乗場行先階登録装置３０に登録された基準階乗場登録情報を取得する。
【００３０】
割当情報生成部５３は、登録情報取得部５２で通常階乗場呼び登録情報が取得されると、運転情報取得部５１で取得された各エレベータの運転情報に基づいて、当該通常階乗場呼び登録情報に対応して最も効率良く運転可能なエレベータを割り当てる割当情報を生成する。また、登録情報取得部５２で基準階乗場登録情報が取得されると、各エレベータの運転情報に基づいて、当該基準階乗場登録情報に対応して最も効率良く運転可能なエレベータを割り当てる割当情報を生成する。
【００３１】
乗場行先階情報送信部５４は、割当情報生成部５３で基準階乗場登録情報に対応する割当情報が生成されると、当該エレベータに対応する基準階（１階）の乗場行先階表示装置に、当該基準階乗場登録情報中の行先階情報を送信する。
【００３２】
制御情報送信部５５は、基準階（１階）のエレベータ乗場に設置された乗場行先階登録装置３０による乗場行先階登録操作を有効とするとともに、基準階（１階）に停止しており基準階（１階）を出発階とする運転制御情報が生成されていない乗りかご内のかご内行先階登録装置１２−１〜１２−３による行先登録操作を無効として第１エレベータ１０−１〜第３エレベータ１０−３を群管理制御するための制御情報を生成し、該当するエレベータに送信する。基準階以外の階に乗りかごがあるエレベータでは、かご内行先階登録装置１２−１〜１２−３によるかご内行先階登録操作を有効として制御情報を生成し、該当するエレベータに送信する。
【００３３】
具体的には、割当情報生成部５３で生成された割当情報で割り当てられたエレベータを、該当する通常階乗場呼び登録情報や基準階乗場登録情報に基づいて運転させるための運転制御情報を生成し、対応する運転制御装置１１−１〜１１−３に送信する。また、登録情報取得部５２で取得された有効なかご内行先階登録情報に基づいて、該当するエレベータを運転させるための運転制御情報を生成し、対応する運転制御装置１１−１〜１１−３に送信する。
【００３４】
また制御情報送信部５５は、第１エレベータ１０−１〜第３エレベータ１０−３のうち、基準階（１階）に乗りかごが停止しているエレベータのかご内行先階登録装置で行われる操作を無効とするための設定情報を生成し、当該かご内行先階登録装置に送信する。
【００３５】
〈一実施形態によるエレベータ群管理制御装置を利用したエレベータシステムの動作〉
次に、本実施形態によるエレベータシステム１の動作について、図４のシーケンス図を参照して説明する。
【００３６】
本実施形態において、エレベータ群管理制御装置５０の運転情報取得部５１では、第１エレベータ１０−１〜第３エレベータ１０−３から各エレベータの乗りかごの位置情報を含む運転情報が所定時間間隔で取得されているものとする。ここでは運転情報として、第１エレベータ１０−１の乗りかごが２階に停止中であり、第２エレベータ１０−２の乗りかごが３階に停止中であり、第３エレベータ１０−３の乗りかごが８階に停止中である情報が取得されたものとする。
【００３７】
このような運転状態において、まず基準階以外の階（例えば「１０階」）の乗場呼び登録装置２０−９において利用者により下方向を指定したかご呼び操作が行われると、当該「１０階」を出発階としてエレベータを運転させるための通常階乗場呼び登録情報が登録される（Ｓ１）。
【００３８】
乗場呼び登録装置２０−９に通常階乗場呼び登録情報が登録されると、この登録された情報がエレベータ群管理制御装置５０に送信され、登録情報取得部５２で取得される。
【００３９】
そして、登録情報取得部５２で通常階乗場呼び録情報が取得されると、運転情報取得部５１で取得された最新の各エレベータの運転情報に基づいて、当該通常階乗場呼び登録情報に対応して最も効率良く運転可能なエレベータを割り当てる割り当て情報が生成される（Ｓ２）。ここでは、現在「８階」に停止している第３エレベータ１０−３が当該通常階乗場呼び登録情報に対応したエレベータとした割当情報が生成されたものとする。
【００４０】
次に制御情報送信部５５により、生成された割当情報により割り当てられた第３エレベータ１０−３を、当該通常階乗場呼び登録情報に基づいて運転させるための運転制御情報が生成され、第３エレベータ１０−３に送信される（Ｓ３）。
【００４１】
第３エレベータ１０−３では、エレベータ群管理制御装置５０から送信された運転制御情報に基づいて、乗りかごが「８階」から「１０階」に移動するように運転制御装置１１−３により制御される（Ｓ４）。これにより利用者は、１０階に到着した第３エレベータ１０−３の乗りかごを利用して下方向に移動することができる。
【００４２】
また、基準階である１階のエレベータ乗場にいる利用者により乗場の乗場行先階登録装置３０で所望の行先階（例えば「５階」）を指定する操作が行われると、「１階」を出発階とし、指定された行先階「５階」まで移動させるための基準階乗場登録情報が登録される（Ｓ５）。
【００４３】
乗場行先階登録装置３０に基準階乗場登録情報が登録されると、この登録された情報がエレベータ群管理制御装置５０に送信され、登録情報取得部５２で取得される。
【００４４】
そして、登録情報取得部５２で基準階乗場登録情報が取得されると、運転情報取得部５１で取得された最新の各エレベータの運転情報に基づいて、当該基準階乗場登録情報に対応して最も効率良く運転可能なエレベータを割り当てる割当情報が生成される（Ｓ６）。ここでは、現在「２階」に停止している第１エレベータ１０−１が当該基準階乗場登録情報に対応したエレベータとした割当情報が生成されたものとする。
【００４５】
次に、生成された割当情報で割り当てられたエレベータ（第１エレベータ１０−１）に対応する基準階（１階）の第１乗場行先階表示装置４０−１に、当該基準階乗場登録情報中の行先階「５階」を示す情報が送信される（Ｓ７）。
【００４６】
第１乗場行先階表示装置４０−１では、エレベータ群管理制御装置５０から送信された行先階情報として「５」が表示される（Ｓ８）。
【００４７】
また制御情報送信部５５において、ステップＳ６で生成された割当情報により割り当てられた第１エレベータ１０−１を、当該基準階乗場登録情報に基づいて運転させるための運転制御情報が生成され、第１エレベータ１０−１に送信される（Ｓ９）。
【００４８】
第１エレベータ１０−１では、エレベータ群管理制御装置５０から送信された運転制御情報に基づいて、乗りかごが「２階」から「１階」に移動するように運転制御装置１１−１により制御される。
【００４９】
そしてステップＳ４において乗場行先階登録装置３０を操作した利用者が第１エレベータ１０−１の乗りかごに乗り込み、かご内の戸閉ボタン（図示せず）等を操作するとかご扉が戸閉され、さらに運転制御情報に基づいて乗りかごが「１階」から「５階」に自動運転するように運転制御装置１１−１により制御される（Ｓ１０）。これにより利用者は、１階から乗りかごに乗り込み５階で降車することができる。
【００５０】
また、「３階」の第２エレベータ１０−２の乗りかご内にいる利用者によりかご内行先階登録装置１２−１で所望の行先階（例えば「１階」）を指定する操作が行われると、当該乗りかごを行先階「１階」まで移動させるための行先階登録情報が登録される（Ｓ１１）。
【００５１】
かご内行先階登録装置１２−１に行先階登録情報が登録されると、この登録された情報がエレベータ群管理制御装置５０に送信され、登録情報取得部５２で取得される。
【００５２】
そして制御情報送信部５５において、登録情報取得部５２で取得された行先階登録情報に基づいて、第２エレベータ１０−２の乗りかごを「３階」から「１階」に移動させるための制御情報が生成され、第２エレベータ１０−２に送信される（Ｓ１２）。
【００５３】
第２エレベータ１０−２では、エレベータ群管理制御装置５０から送信された制御情報に基づいて、乗りかごが「３階」から「１階」に移動するように運転制御装置１１−２により制御される（Ｓ１３）。これにより乗りかご内の利用者は、１階に移動して降車することができる。
【００５４】
第２エレベータ１０−２の乗りかごが「１階」に到着すると、この運転情報がエレベータ群管理制御装置５０に送信され、運転情報取得部５１を介して制御情報送信部５５で取得される。
【００５５】
制御情報送信部５５では運転情報を取得したことにより、第２エレベータ１０−２の乗りかごが基準階（１階）に停止しており、当該第２エレベータ１０−２には現在、基準階（１階）を出発階とする運転制御情報が生成されていないことが認識される。そして、第２エレベータ１０−２のかご内行先階登録装置１２−２で行われる操作を無効とするための設定情報が生成され、制御情報送信部５５から第２エレベータ１０−２に送信される（Ｓ１４）。
【００５６】
第２エレベータ１０−２では、運転制御装置１１−２により、エレベータ群管理制御装置５０から送信された設定情報に基づいて、以降、自第２エレベータ１０−２のかご内行先階登録装置１２−２で行われる操作を無効とするように設定される（Ｓ１５）。
【００５７】
操作無効の設定が行われた状態で当該システムの利用方法を認識していない利用者が第２エレベータ１０−１の乗りかごに乗り込み、かご内行先階登録装置１２−２を操作すると、運転制御装置１１−２において当該操作が無効として処理されるとともに、当該操作が無効であることを利用者に報知するための報知情報が生成される。生成された報知情報は、自第２エレベータ１０−２のかご内表示装置１３−２およびスピーカ１４−２に送信される（Ｓ１６）。
【００５８】
かご内表示装置１３−２では、送信された報知情報に基づいて操作が無効であることを報知するための映像情報やテキスト情報が表示され、スピーカ１４−２では、操作が無効であることを報知するための音声アナウンス情報や注意をひくための警報ブザー音が出力される。
【００５９】
当該映像情報やテキスト情報、音声アナウンス情報では例えば、乗りかごからエレベータ乗場に降車し、乗場行先階登録装置で行先階を指定する操作を行ってから割り当てられたエレベータの乗りかごに乗車するように促す情報や、乗場行先階登録装置の設置場所の説明情報等が出力される。
【００６０】
以上の本実施形態によれば、所定の基準階のエレベータ乗場に設置された乗場行先階登録装置による行先階登録を有効とするとともに、前記基準階に停止している乗りかごに設置されたかご内行先階登録装置による行先登録操作を無効として複数のエレベータの群管理制御を行う際に、当該制御の内容を認識していない利用者により基準階でかご内行先登録装置が操作されたときに当該操作が無効であることを報知することができ、利便性の高いサービスを提供することができる。
【００６１】
このような報知情報を出力することにより、当該制御の内容を理解していない利用者が行先登録操作を行うことができないままに乗りかごに居続け、乗りかごの自動制御により戸閉してかご内の照明が消灯された状態で閉じ込められるような事態を回避することができる。
【００６２】
上記実施形態において、基準階の乗場行先階登録装置で行先階が登録されたときに、割り当てられたエレベータで乗りかごが基準階から当該行先階へ自動運転される場合について説明した。他の形態として、乗場行先階登録装置で行先階が登録された時点では当該かご内行先階登録装置において該当する行先階を登録可能な状態に設定しておき、利用者が乗りかごに乗車した後、当該行先階を指定する操作を行ったときに行先階が登録され、乗りかごの運転が開始されるようにしてもよい。
【００６３】
このような場合には、エレベータ群管理制御装置から送信される報知情報には、乗場行先階登録装置で登録していない階のボタン操作は無効であることを報知する情報、操作された階は乗場行先階登録装置で登録されていないことを報知する情報等が含まれる。
【００６４】
また各エレベータに乗りかごを振動させる機構を設け、警報ブザー音、音声アナウンス情報、映像情報、テキスト情報等の報知情報を出力する際に、併せて該当するエレベータの乗りかごを振動させることにより、利用者の注意を引くようにしてもよい。
【００６５】
また上記実施形態においては、基準階に乗場行先階登録装置が１つ設置されている場合について説明したが、複数個の乗場行先階登録装置を設置し、これらで操作された情報を統合してエレベータ群管理制御装置５０で割当情報の生成や制御情報の生成を行うようにしてもよい。複数の乗場行先階登録装置を設置することにより、基準階のエレベータ乗場に多数の利用者がいる場合に利便性を向上させることができる。
【００６６】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６７】
１…エレベータシステム
１０−１…第１エレベータ
１０−２…第２エレベータ
１０−３…第３エレベータ
１１−１〜１１−３…運転制御装置
１２−１〜１２−３…かご内行先階登録装置
１３−１〜１３−３…かご内表示装置
１４−１〜１４−３…スピーカ
１５−１〜１５−３…乗場扉
２０−１〜２０−９…乗場呼び登録装置
３０…乗場行先階登録装置
３０ａ…ボタン式登録装置
３０ｂ…タッチパネル式登録装置
３１…ボタン群
３２…表示部
３３…タッチパネル
４０−１…第１乗場行先階表示装置
４０−２…第２乗場行先階表示装置
４０−３…第３乗場行先階表示装置
５０…エレベータ群管理制御装置
５１…運転情報取得部
５２…登録情報取得部
５３…割当情報生成部
５４…乗場行先階情報送信部
５５…制御情報送信部
【図１】
2014111491.tif 000003
【図２】
2014111491.tif 000004
【図３】
2014111491.tif 000005
【図４】
2014111491.tif 000006